(57)【要約】【課題】  流し台のように蛇口等の障害物があっても良好且つ円滑に使用することができ、優れた吸引力及び加圧力を発揮することができる。【解決手段】  上端部にキャップ３を嵌合したシリンダ２と、シリンダ２の下端部に着脱自在に取り付けられ、排水口の周囲に密着する弾性材製の筒体４と、シリンダ２内に往復動自在に挿入したピストン５と、先端部がピストン５に連結され、基端部がキャップ３から突出するピストンロッド７と、ピストンロッド７の基端部に取り付けたハンドル８とから成る手動式清掃用ポンプ１に於いて、前記シリンダ２の下端部側をピストン５及びピストンロッド７の軸線に対して傾斜させると共に、ピストン５の外周面にピストン５の外周面とシリンダ２の内周面との間をシールする一対のピストンパッキン６を嵌着し、前記両ピストンパッキン６は、シリンダ２の内周面に屈曲状態で弾性的に当接する断面形状が鋭角状の外周縁部６ａを夫々備えている。【選択図】      図１
0003165524.tif 000002
【実用新案登録請求の範囲】
【請求項１】
上端部にキャップ（３）を嵌合したシリンダ（２）と、シリンダ（２）の下端部に着脱自在に取り付けられ、排水口の周囲に密着する弾性材製の筒体（４）と、シリンダ（２）内に往復移動自在に挿入したピストン（５）と、ピストン（５）の外周面に嵌着され、シリンダ（２）の内周面とピストン（５）の外周面との間をシールする一対のピストンパッキン（６）と、先端部がピストン（５）に連結され、基端部がキャップ（３）から突出するピストンロッド（７）と、ピストンロッド（７）の基端部に取り付けたハンドル（８）とから成り、ピストン（５）の引き上げ時に吸引作用を行い、ピストン（５）の押し下げ時に加圧作用を行う手動式清掃用ポンプ（１）に於いて、前記シリンダ（２）の下端部側をピストン（５）及びピストンロッド（７）の軸線に対して傾斜させ、また、前記両ピストンパッキン（６）のうち、下側のピストンパッキン（６）は、外周縁部（６ａ）の下面側がテーパ面（６ｂ）に形成された断面形状が鋭角状の外周縁部（６ａ）を備えており、当該外周縁部（６ａ）がシリンダ（２）の内周面に上側へ折れ曲がった状態で弾性的に当接し、また、前記両ピストンパッキン（６）のうち、上側のピストンパッキン（６）は、外周縁部（６ａ）の上面側がテーパ面（６ｂ）に形成された断面形状が鋭角状の外周縁部（６ａ）を備えており、当該外周縁部（６ａ）がシリンダ（２）の内周面に下側へ折れ曲がった状態で弾性的に当接し、更に、前記筒体（４）は、長い円筒状の筒体（４）又は短い円筒状の筒体（４）から成ることを特徴とする手動式清掃用ポンプ。
【請求項２】
上端部にキャップ（３）を嵌合したシリンダ（２）と、シリンダ（２）の下端部にアダプター（１５）を介して着脱自在に取り付けられ、排水口の周囲に密着する弾性材製の筒体（４）と、シリンダ（２）内に往復移動自在に挿入したピストン（５）と、ピストン（５）の外周面に嵌着され、シリンダ（２）の内周面とピストン（５）の外周面との間をシールする一対のピストンパッキン（６）と、先端部がピストン（５）に連結され、基端部がキャップ（３）から突出するピストンロッド（７）と、ピストンロッド（７）の基端部に取り付けたハンドル（８）とから成り、ピストン（５）の引き上げ時に吸引作用を行い、ピストン（５）の押し下げ時に加圧作用を行う手動式清掃用ポンプ（１）に於いて、前記シリンダ（２）の下端部側をピストン（５）及びピストンロッド（７）の軸線に対して傾斜させ、また、前記両ピストンパッキン（６）のうち、下側のピストンパッキン（６）は、外周縁部（６ａ）の下面側がテーパ面（６ｂ）に形成された断面形状が鋭角状の外周縁部（６ａ）を備えており、当該外周縁部（６ａ）がシリンダ（２）の内周面に上側へ折れ曲がった状態で弾性的に当接し、また、前記両ピストンパッキン（６）のうち、上側のピストンパッキン（６）は、外周縁部（６ａ）の上面側がテーパ面（６ｂ）に形成された断面形状が鋭角状の外周縁部（６ａ）を備えており、当該外周縁部（６ａ）がシリンダ（２）の内周面に下側へ折れ曲がった状態で弾性的に当接し、更に、前記筒体（４）は、四角形状の筒体（４）、裁頭円錐形状の大径の筒体（４）又は裁頭円錐形状の小径の筒体（４）から成ることを特徴とする手動式清掃用ポンプ。
【考案の詳細な説明】
【技術分野】
【０００１】
本考案は、流し台や水洗便器、洗面台、風呂場等の排水口や排水管に詰まった厨芥類や汚物等の詰まり物を取り除くのに用いるものであり、特に、詰まり物に対して吸引作用と加圧作用を行って詰まり物を取り除き、排水口や排水管の詰まりを解消するようにした手動式清掃用ポンプに関するものである。
【背景技術】
【０００２】
一般に、流し台や水洗便器、洗面台、風呂場等の排水を行う個所に於いては、その排水口に水と一緒に厨芥類や汚物、毛髪等が流れ込むことがあり、そのため排水口や排水管に詰まりが生じることがある。
【０００３】
従来、排水口や排水管に詰まった厨芥類等の詰まり物を取り除く場合には、棒状の操作杆の先端部にゴム製のお椀状の吸盤を取り付けた清掃具（図示省略）が使用されて来た。
この清掃具は、吸盤を排水口の周囲に押し付けて密着させ、操作杆を持って吸盤を上下方向へ往復動させて排水口内に正圧・負圧を交互に発生させ、排水口や排水管内に詰まった詰まり物を強制的に移動させて下流側へ流出させ、排水口や排水管の詰まりを解消するようにしたものである。
【０００４】
しかし、前記清掃具は、お椀状の吸盤内の容積が小さいため、詰まった排水口や排水管に与える吸引力、加圧力が弱く、排水口や排水管の詰まりを完全に解消することができないことがあった。
【０００５】
そこで、この問題を解決するため、上述した吸盤式の清掃具に替えてシリンダ及びピストン等から成る手動ポンプ式の清掃具が開発され、実開昭６４−１４２７１号公報（特許文献１）及び実開平４−６５８６３号公報（特許文献２）として公開されている。
即ち、前記両清掃具は、図示していないが、上端部にキャップを嵌合したシリンダと、シリンダの下端部に取り付けられ、排水口の周囲に密着するお椀状の吸盤と、シリンダ内に往復移動自在に挿入したピストンと、先端部がピストンに連結され、基端部がキャップから突出するピストンロッドと、ピストンロッドの基端部に取り付けたハンドルとから成り、ピストンの引き上げ時に吸引作用を行い、又、ピストンの押し下げ時に加圧作用を行うように構成されている。
【０００６】
而して、前記両清掃具を用いて排水口や排水管に詰まった詰まり物を除去する場合、吸盤を排水口の周囲に密着させた後、ハンドルを引き上げ操作してピストンを上方へ移動させると、シリンダ内のピストンの下方空間が減圧状態になって詰まり物が水と一緒に吸い上げられ、又、ハンドルを押し下げ操作してピストンを下方へ移動させると、排水管内に加圧水が圧入されて排水管内の水と詰まり物がそのまま下流側へ押し出される。このように、前記両清掃具は、ピストンの上下動（往復動）を繰り返すことによって、圧力の増減がなされ、排水口や排水管に詰まった詰まり物を除去することができる。
【０００７】
然し乍ら、前記両清掃具は、何れもシリンダが直線状に形成されているため、流し台や洗面台のように排水口の近傍上方位置に蛇口があったり、或いは男子用トイレの小便器のように縁があったりした場合には、ハンドルを操作するときに蛇口や小便器の縁が障害物となることがあり、清掃具を良好且つ円滑に使用することができないと云う問題があった。
又、両清掃具は、ピストンとシリンダとの間を通常のパッキンによりシールするようにしているため、パッキンが摩耗したりした場合には、シール機能が低下して吸引作用及び加圧作用を行えなくなると云う問題があった。
【先行技術文献】
【特許文献】
【０００８】
【特許文献１】実開昭６４−１４２７１号公報
【特許文献２】実開平４−６５８６３号公報
【考案の概要】
【考案が解決しようとする課題】
【０００９】
本考案は、このような問題点に鑑みて為されたものであり、その目的は流し台や洗面台のように蛇口等の障害物があっても良好且つ円滑に使用することができると共に、優れた吸引力及び加圧力を発揮することができる手動式清掃用ポンプを提供することにある。
【課題を解決するための手段】
【００１０】
上記目的を達成する為に、本考案の請求項１の考案は、上端部にキャップを嵌合したシリンダと、シリンダの下端部に着脱自在に取り付けられ、排水口の周囲に密着する弾性材製の筒体と、シリンダ内に往復移動自在に挿入したピストンと、ピストンの外周面に嵌着され、シリンダの内周面とピストンの外周面との間をシールする一対のピストンパッキンと、先端部がピストンに連結され、基端部がキャップから突出するピストンロッドと、ピストンロッドの基端部に取り付けたハンドルとから成り、ピストンの引き上げ時に吸引作用を行い、ピストンの押し下げ時に加圧作用を行う手動式清掃用ポンプに於いて、前記シリンダの下端部側をピストン及びピストンロッドの軸線に対して傾斜させ、また、前記両ピストンパッキンのうち、下側のピストンパッキンは、外周縁部の下面側がテーパ面に形成された断面形状が鋭角状の外周縁部を備えており、当該外周縁部がシリンダの内周面に上側へ折れ曲がった状態で弾性的に当接し、また、前記両ピストンパッキンのうち、上側のピストンパッキンは、外周縁部の上面側がテーパ面に形成された断面形状が鋭角状の外周縁部を備えており、当該外周縁部がシリンダの内周面に下側へ折れ曲がった状態で弾性的に当接し、更に、前記筒体は、長い円筒状の筒体又は短い円筒状の筒体から成ることに特徴がある。
又、本考案の請求項２の考案は、上端部にキャップを嵌合したシリンダと、シリンダの下端部にアダプターを介して着脱自在に取り付けられ、排水口の周囲に密着する弾性材製の筒体と、シリンダ内に往復移動自在に挿入したピストンと、ピストンの外周面に嵌着され、シリンダの内周面とピストンの外周面との間をシールする一対のピストンパッキンと、先端部がピストンに連結され、基端部がキャップから突出するピストンロッドと、ピストンロッドの基端部に取り付けたハンドルとから成り、ピストンの引き上げ時に吸引作用を行い、ピストンの押し下げ時に加圧作用を行う手動式清掃用ポンプに於いて、前記シリンダの下端部側をピストン及びピストンロッドの軸線に対して傾斜させ、また、前記両ピストンパッキンのうち、下側のピストンパッキンは、外周縁部の下面側がテーパ面に形成された断面形状が鋭角状の外周縁部を備えており、当該外周縁部がシリンダの内周面に上側へ折れ曲がった状態で弾性的に当接し、また、前記両ピストンパッキンのうち、上側のピストンパッキンは、外周縁部の上面側がテーパ面に形成された断面形状が鋭角状の外周縁部を備えており、当該外周縁部がシリンダの内周面に下側へ折れ曲がった状態で弾性的に当接し、更に、前記筒体は、四角形状の筒体、裁頭円錐形状の大径の筒体又は裁頭円錐形状の小径の筒体から成ることに特徴がある。
【考案の効果】
【００１１】
本考案の手動式清掃用ポンプは、シリンダの下端部側をピストン及びピストンロッドの軸線に対して傾斜させているため、流し台のように蛇口があったり、男子用トイレの小便器のように縁があったりした場合でも、ハンドルを操作するときに蛇口や小便器の縁が邪魔になると云うことがなく、良好且つ円滑に使用することができる。即ち、蛇口や小便器の縁等の障害物があっても、排水口や排水管の清掃作業を確実且つ容易に行うことができる。
又、本考案の手動式清掃用ポンプは、ピストンの外周面にピストンの外周面とシリンダの内周面との間をシールする一対のピストンパッキンを嵌着し、両ピストンパッキンの外周縁部を断面形状鋭角状に形成してシリンダの内周面に屈曲状態で当接させているため、両ピストンパッキンの外周縁部がシリンダの内周面に密着すると共に、例えピストンパッキンが摩耗したりしてもピストンパッキンとシリンダの内周面との間に隙間が生じることがない。その結果、本考案の手動式清掃用ポンプは、シール性の大幅な向上を図れて強力な吸引力及び加圧力を発揮することができ、排水口や排水管の詰まりを確実且つ良好に解消することができる。
【図面の簡単な説明】
【００１２】
【図１】本考案の実施の形態に係る手動式清掃用ポンプの縦断面図である。
【図２】手動式清掃用ポンプの分解斜視図である。
【図３】手動式清掃用ポンプの要部の拡大断面図である。
【図４】手動式清掃用ポンプの使用状態を示し、（Ａ）は流し台の詰まりを解消する場合の概略斜視図、（Ｂ）は水洗便器の詰まりを解消する場合の概略斜視図である。
【考案を実施するための形態】
【００１３】
以下、本考案の実施の形態を図面に基づいて詳細に説明する。
図１及び図２は本考案の実施の形態に係る手動式清掃用ポンプ１を示し、当該手動式清掃用ポンプ１は、流し台Ａや水洗便器Ｂ、洗面台、風呂場等の排水口や排水管に詰まった厨芥類や汚物等の詰まり物を取り除くのに用いるものである。
【００１４】
即ち、前記手動式清掃用ポンプ１は、図１及び図２に示す如く、シリンダ２と、シリンダ２の上端部に嵌合され、シリンダ２の上端部開口を閉塞するキャップ３と、シリンダ２の下端部に直接又はアダプター１５を介して着脱自在に取り付けられ、流し台Ａや便器Ｂ等の排水口の周囲に密着する弾性材製の複数種類の筒体４と、シリンダ２内に往復移動自在に挿入されたピストン５と、ピストン５の外周面に嵌着され、シリンダ２の内周面とピストン５の外周面との間をシールする一対のピストンパッキン６と、先端部がピストン５に連結され、基端部がキャップ３から突出するピストンロッド７と、ピストンロッド７の基端部に取り付けたハンドル８等から成り、ピストン５の引き上げ時に吸引作用を行い、又、ピストン５の押し下げ時に加圧作用を行うように構成されている。
【００１５】
具体的には、前記シリンダ２は、プラスチック材や耐食性に優れた金属材により形成されており、その下端部側は、シリンダ２内に挿入されたピストン５及びピストンロッド７の軸線に対して適宜の角度に傾斜されている。シリンダ２の下端部側を傾斜させたのは、流し台Ａ等の排水口や排水管の詰まりを解消する際にハンドル８やシリンダ２等が流し台Ａ等の蛇口や男子用トイレの小便器の縁等と干渉しないようにするためである。
尚、シリンダ２の下端部側の傾斜角度は、ハンドル８やシリンダ２等が蛇口等と干渉しない程度に設定されている。
【００１６】
又、キャップ３は、プラスチック材や耐食性に優れた金属材により形成されており、シリンダ２の上端部に嵌合されて複数本のキャップ取付けネジ１４によりシリンダ２の上端部に固定されている。このキャップ３には、コの字状の手持ちハンドル９が複数本の取付けネジ１０により傾斜姿勢で取り付けられている。
尚、この実施の形態に於いては、キャップ３に手持ちハンドル９を取付けネジ１０により取り付けるようにしたが、他の実施の形態に於いては、図示していないが、キャップ３に手持ちハンドル９を一体的に形成するようにしても良い。
【００１７】
更に、筒体４は、弾性を有するゴム材により形成されており、シリンダ２の下端部に着脱自在に嵌合されている。この筒体４は、流し台Ａや水洗便器Ｂ等の排水口の周囲に密着して吸引作用及び加圧作用のときに圧力の漏洩を防止するものである。
尚、この実施の形態に於いては、筒体４には、図２に示す如く、弾性を有するゴム材により形成された長い円筒状の筒体４と、弾性を有するゴム材により形成された短い円筒状の筒体４と、弾性を有するゴム材により形成された四角形状の筒体４と、弾性を有するゴム材により形成された裁頭円錐形状の大径の筒体４と、弾性を有するゴム材により形成された裁頭円錐形状の小径の筒体４とが夫々用意されており、各筒体４は流し台Ａや水洗便器Ｂ等の各種排水口の大きさや形状、排水口の位置等に応じて使い分けられている。
例えば、排水口の位置が深い位置にある場合には、長い円筒状の筒体４が、排水口の位置が浅い位置にある場合には、短い円筒状の筒体４が、大便器のように排水口が大きい場合には、四角形状の筒体４が、風呂の排水口のような場合には、裁頭円錐形状の筒体４（大径又は小径の筒体４）が夫々使用されている。
前記長い円筒状の筒体４及び短い円筒状の筒体４は、シリンダ２の下端部に直接着脱自在に取り付けられ、又、四角形状の筒体４、裁頭円錐形状の大径の筒体４及び裁頭円錐形状の小径の筒体４は、図２に示すアダプター１５を介してシリンダ２の下端部に着脱自在に取り付けられている。このアダプター１５は、シリンダ２の下端部に着脱自在に嵌合されるキャップ部１５ａと、キャップ部１５ａに連設されて四角形状の筒体４、裁頭円錐形状の大径の筒体４及び裁頭円錐形状の小径の筒体４に形成した小孔４ａに着脱自在に挿着される筒部１５ｂとから成る。
【００１８】
そして、ピストン５は、プラスチック材や耐食性に優れた金属材により厚肉の円盤状に形成されており、後述する一対のピストンパッキン６を介してシリンダ２内に摺動自在且つ往復移動自在に挿入されている。このピストン５の外周面には、ピストンパッキン６を嵌着するための環状のパッキン溝５ａが所定の間隔を空けて形成されている。
【００１９】
前記両ピストンパッキン６は、ニトリルゴムやウレタンゴム、フッ素ゴム等のゴム材により環状に形成されており、シリンダ２の内周面に屈曲状態で当接する断面形状が鋭角状の外周縁部６ａを夫々備えている。
即ち、一方のピストンパッキン６（下側のピストンパッキン６）は、図３に示す如く、外周縁部６ａの下面側がテーパ面６ｂに形成された断面形状が鋭角状の外周縁部６ａを備えており、その外周縁部６ａがシリンダ２の内周面に屈曲状態（上側へ折れ曲がった状態）で弾性的に当接している。そのため、ピストン５の引き上げ時にシリンダ２の内周面とピストン５の外周面との間で且つ両ピストンパッキン６間に流体が侵入しても、下側のピストンパッキン６の外周縁部が流体圧により拡開してシリンダ２の内周面に密着することになり、流体の漏洩を確実に防止することができる。
又、他方のピストンパッキン６（上側のピストンパッキン６）は、図３に示す如く、外周縁部６ａの上面側がテーパ面６ｂに形成された断面形状が鋭角状の外周縁部６ａを備えており、その外周縁部６ａがシリンダ２の内周面に屈曲状態（下側へ折れ曲がった状態）で弾性的に当接している。そのため、ピストン５の押し下げ時にシリンダ２の内周面とピストン５の外周面との間で且つ両ピストンパッキン６間に流体が侵入しても、上側のピストンパッキン６の外周縁部６ａが流体圧により拡開してシリンダ２の内周面に密着することになり、流体の漏洩を確実に防止することができる。
【００２０】
前記ピストンロッド７は、プラスチック材や耐食性に優れた金属材により形成されており、その基端部側にはプラスチック製又は金属製のハンドル８が取り付けられている。このピストンロッド７は、キャップ３に遊嵌状態で挿通されてシリンダ２の軸線位置に挿入されており、その先端部が取付けナット１１及びＵナット１２を介してピストン５に連結固定されている。
尚、ピストンロッド７には、一対の緩衝用のコイルスプリング１３が介装されている。
又、ピストンロッド７とキャップ３との間には、ピストン５の上昇時にピストン５の上方空間にあるシリンダ２内の空気を外部へ逃がす隙間が形成されている。
【００２１】
次に、上述した手動式清掃用ポンプ１を用いて流し台Ａや水洗便器Ｂ等の排水口や排水管に詰まった厨芥類等の詰まり物を除去する場合の一例について説明する。
先ず、流し台Ａや水洗便器Ｂ等の詰まった排水口に水を入れ、手動式清掃用ポンプ１のシリンダ２の下端部に排水口の大きさ及び形状等に合致する筒体４を取り付ける。このとき、排水口に予め水が溜まっている場合には、排水口に水を入れる必要はない。
次に、筒体４の先端部を水に浸けてハンドル８を引き上げ、シリンダ２内に水を吸い込んでシリンダ２のピストン５の下方空間に水を充満させる。
その後、シリンダ２内に水を充満させた状態で筒体４の先端部を排水口の周囲に密着させ、ハンドル８を強く押し下げる。そうすると、排水口から排水管内に加圧水が圧入され、排水口や排水管内に詰まっている詰まり物が水と一緒に下流側へ押し流される。
尚、一回の押出作業で排水口や排水管の詰まりが解消されない場合には、筒体４を排水口の周囲から離し、上記の過程を繰り返して行う。
【００２２】
上述した説明では、排水口や排水管の詰まりを押出作業で解消するようにしたが、排水口の直ぐ近くに詰まりが生じている場合には、排水口の詰まりを吸引作業で解消するようにしても良い。
即ち、ハンドル８を押し下げてピストン５をシリンダ２の下方へ移動させ、この状態で筒体４を排水口の周囲に密着させた後、ハンドル８を引き上げ操作してピストン５をシリンダ２の上方へ移動させる。そうすると、シリンダ２内のピストン５の下方空間が減圧状態になり、排水口内の詰まり物が水と一緒に吸い上げられて除去される。
尚、一回の吸引作業で排水口の詰まりが解消されない場合には、筒体４を排水口の周囲から離し、上記の過程を繰り返して行う。
【００２３】
又、排水口や排水管に強固に詰まった詰まり物に対しては、吸引作用と加圧作用を交互に繰り返して行い、詰まり物に上下方向の揺れを生じさせ、詰まり物を吸引又は押し出して除去するようにしても良い。
【００２４】
このように、前記手動式清掃用ポンプ１は、流し台Ａや水洗便器Ｂ等の排水口や排水管に詰まった詰まり物に対して吸引作用や加圧作用を行えるため、様々な詰まりに対応することができ、排水口や排水管の詰まりを確実且つ良好に解消することができる。
又、この手動式清掃用ポンプ１は、シリンダ２の下端部側をピストン５及びピストンロッド７の軸線に対して傾斜させているため、流し台Ａや洗面台のように蛇口があったり、男子用トイレの小便器のように縁があったりした場合でも、蛇口や便器の縁等が邪魔になると云うことがなく、手動式清掃用ポンプ１を良好且つ円滑に使用することができる。
更に、この手動式清掃用ポンプ１は、ピストン５の外周面に一対のピストンパッキン６を嵌着し、両ピストンパッキン６の外周縁部６ａを断面形状鋭角状に形成してシリンダ２の内周面に屈曲状態で当接させているため、シール性の向上を図れて強力な吸引力及び加圧力を発揮することができ、排水口や排水管の詰まりを確実且つ良好に解消することができる。
【符号の説明】
【００２５】
１は手動式清掃用ポンプ、２はシリンダ、３はキャップ、４は筒体、５はピストン、６はピストンパッキン、９ａはピストンパッキンの外周縁部、７はピストンロッド、８はハンドル。
【図１】
0003165524.tif 000003
【図２】
0003165524.tif 000004
【図３】
0003165524.tif 000005
【図４】
0003165524.tif 000006